(57)【要約】【課題】トナーの移動やトナークラウド化のために供給されて現像に消費されないトナーの量を減らして、ハウジングの開口部やワイヤ電極等へのトナーの堆積やトナー汚染を防止する。そして、濃度むら等の発生を防止して高品質の画像を形成することができる現像装置及びその現像装置を備える画像形成装置を提供する。【解決手段】像担持体１１０の上に記録される潜像の記録画像と対応する選択領域に供給するトナーＴを表面に担持する供給トナー担持体１と、前記供給トナー担持体１の表面の前記記録画像と対応する前記選択領域に潜像の書き込みパターン２を形成する書き込みパターン形成手段３と、前記書き込みパターン形成手段３で形成される前記書き込みパターン２の潜像に前記トナーＴを供給してトナー層を形成する現像剤Ｄを担持する現像剤担持手段４と、を備える。【選択図】図１
2010038935.tif 000002
【特許請求の範囲】
【請求項１】
像担持体に記録される静電潜像の記録画像にトナーを供給してトナー可視画像を形成する現像装置において、前記像担持体に記録される静電潜像の記録画像領域に合致する領域を包含する特定領域から成る静電潜像パターンが形成され、該静電潜像パターンをトナーによって現像することで得られたトナー担持領域を有し、該トナー担持領域をもって前記像担持体に記録される前記静電潜像を現像する供給トナー担持体と、該供給トナー担持体にたいしてトナーを供給する現像剤担持手段と、を備えることを特徴とする現像装置。
【請求項２】
前記供給トナー担持体の表面は、光導電性表面であり、かつ前記供給トナー担持体の表面に前記静電潜像パターンを形成させる静電潜像パターン書き込み手段を備えることを特徴とする、請求項１に記載の現像装置。
【請求項３】
前記供給トナー担持体と前記像担持体との間に、前記供給トナー担持体の表面に担持される前記トナーを前記像担持体側に飛翔させる交流電場形成のための電極を備えることを特徴とする請求項１または２に記載の現像装置。
【請求項４】
前記静電潜像パターン書き込み手段は、前記供給トナー担持体の表面を帯電する供給トナー担持体帯電手段と、前記供給トナー担持体帯電手段で帯電した前記供給トナー担持体の表面を露光する供給トナー担持体露光手段と、を備えることを特徴とする請求項２または３に記載の現像装置。
【請求項５】
前記供給トナー担持体露光手段は、前記供給トナー担持体の回転軸方向に合致する方向に連続する線状光源であることを特徴とする請求項４に記載の現像装置。
【請求項６】
前記供給トナー担持体における前記静電潜像パターンは、前記特定領域に該当するとともに、前記像担持体上に前記記録画像が記録光走査によって記録されるもので、該記録の際の主走査方向の幅より大きく、かつ連続していることを特徴とする請求項１乃至３のいずれか１項に記載の現像装置。
【請求項７】
前記供給トナー担持体における前記静電潜像パターンは、前記特定領域に該当するとともに、前記像担持体上に前記記録画像が記録光走査によって記録されるもので、該記録の際の副走査方向の幅より狭く、かつ連続していることを特徴とする請求項１乃至３のいずれか１項に記載の現像装置。
【請求項８】
記録媒体に記録画像を形成する画像形成装置において、前記記録画像を形成する画像形成ユニットと、前記画像形成ユニットで前記像担持体の上に記録される潜像の前記記録画像に前記トナーを供給して前記トナー可視画像を形成する請求項１乃至７のいずれか１項に記載の前記現像装置と、を備えることを特徴とする画像形成装置。
【請求項９】
前記画像形成ユニットは、電子写真方式の作像プロセスで前記記録画像を形成することを特徴とする請求項８に記載の画像形成装置。
【発明の詳細な説明】
【技術分野】
【０００１】
本発明は、現像装置、及びその現像装置を備える画像形成装置に関する。詳しくは、像担持体の上に記録される静電潜像の記録画像にトナーを供給してトナー可視画像を形成する現像装置、及びその現像装置を備える画像形成装置に関する。
【背景技術】
【０００２】
従来の現像装置では、画像形成装置である電子写真複写機等の像担持体の上に形成される静電潜像の記録画像にトナーを供給してトナー可視画像を形成して現像を行うことは周知である。
例えば、表面にトナーを保持している現像ローラから静電潜像の記録画像が保持される感光体上にトナーを供給するようになっている。
感光体上にトナーを移動供給させる際、現像領域の上流側部分に配置される振動電界形成用の電極、または中間に張られるワイヤ電極による振動電場でトナーをクラウド化することによって現像を行うトナークラウド現像装置も周知である（特許文献１、特許文献２を参照）。
【０００３】
図７は、従来の現像装置２００の基本構成図である。
図７において、従来の現像装置２００は、二成分ハイブリッド構造である。その基本構成は、供給トナー担持手段２０１のいわゆるドナーローラと、二成分現像方式と同様の現像剤担持手段２０２と、ワイヤ電極２０３と、を備えている。
現像剤担持手段２０２は、ハウジング２０４内の現像剤Ｄから常時一定量のトナーＴを供給トナー担持手段２０１に供給する。直流および交流バイアスが印加されたワイヤ電極２０３が形成する振動電場によりトナーをクラウド化し、該トナーにより可視画像を形成するようになっている。
ここで現像に寄与しなかった多くの残トナーＴは、ハウジング２０４の開口部やワイヤ電極２０３上等に多く堆積して、トナーＴの移動やトナークラウド化の妨げになり汚染の原因にもなっている。一方、移動や飛翔せずに供給トナー担持手段２０１のドナーローラ上に多くのトナーＴが残存すれば、記録紙上に得られる画像の濃度むら等による画像の品質低下をきたすという不具合を生じる。
以上のような不具合の防止策には、例えば、ワイヤ電極に付着したトナーを振動により除去することが提案さてれている（特許文献３を参照）。
【０００４】
更に、トナーをドナーローラの全面に可能な限り均一に載せるようにして、ほぼ一様な厚さのトナー層を形成する。１枚分のコピーに相当する一現像工程が終了後にドナーローラ上に残存したトナーを現像剤担持体側に戻すようにして、トナーを一様に供給するための制御を行うことも提案されている（特許文献４を参照）。
上述の防止策を適用しても、トナーの移動やトナークラウド化のために供給されるトナーが現像に消費されずに残り、かつ残ったトナーが多いほど、上記の不具合が発生する確率が大きくなることに変わりがなかった。
【特許文献１】特開平３−１５６４７７号公報（第３、４頁、図１、２）
【特許文献２】特開平３−１１３４７４号公報（第４頁、図２）
【特許文献３】特許第２９７４８０１号（第５頁、図２）
【特許文献４】特開平６−６７５１９号公報（第３頁、図２）
【発明の開示】
【発明が解決しようとする課題】
【０００５】
本発明の課題は、このような前述の従来装置における問題点を解決するものである。即ち、現像に供給されるも現像に寄与せず消費されないトナーの量を減らして、ハウジングの開口部やワイヤ電極等へのトナーの堆積やトナー汚染を防止する。このことにより、濃度むら等の発生を防止して高品質の画像を形成することができる現像装置及びその現像装置を備える画像形成装置を提供することを目的とする。
【課題を解決するための手段】
【０００６】
上記目的を達成するために、請求項１に記載の本発明は、像担持体に記録される静電潜像の記録画像にトナーを供給してトナー可視画像を形成する現像装置において、前記像担持体に記録される静電潜像の記録画像領域に合致する領域を包含する特定領域から成る静電潜像パターンが形成され、該静電潜像パターンをトナーによって現像することで得られたトナー担持領域を有し、該トナー担持領域をもって前記像担持体に記録される前記静電潜像を現像する供給トナー担持体と、該供給トナー担持体にたいしてトナーを供給する現像剤担持手段と、を備えることを特徴とする。
請求項２に記載の本発明は、請求項１に記載の現像装置において、前記供給トナー担持体の表面は、光導電性表面であり、かつ前記供給トナー担持体の表面に前記静電潜像パターンを形成させる静電潜像パターン書き込み手段を備えることを特徴とする。
請求項３に記載の本発明は、請求項１また２に記載の現像装置において、前記供給トナー担持体と前記像担持体との間に、前記供給トナー担持体の表面に担持される前記トナーを前記像担持体側に飛翔させる交流電場形成のための電極を備えることを特徴とする。
請求項４に記載の本発明は、請求項２または３に記載の現像装置において、前記静電潜像パターン書き込み手段は、前記供給トナー担持体の表面を帯電する供給トナー担持体帯電手段と、前記供給トナー担持体帯電手段で帯電した前記供給トナー担持体の表面を露光する供給トナー担持体露光手段と、を備えることを特徴とする。
請求項５に記載の本発明は、請求項４に記載の現像装置において、前記供給トナー担持体露光手段は、前記供給トナー担持体の回転軸方向に合致する方向に連続する線状光源であることを特徴とする。
【０００７】
請求項６に記載の本発明は、請求項１乃至３いずれか１項に記載の現像装置おいて、前記供給トナー担持体における前記静電潜像パターンは、前記特定領域に該当するとともに、前記像担持体上に前記記録画像が記録光走査によって記録されるもので、該記録の際の主走査方向の幅より大きく、かつ連続していることを特徴とする。
請求項７に記載の本発明は、請求項１乃至３いずれか１項に記載の現像装置おいて、前記供給トナー担持体における前記静電潜像パターンは、前記特定領域に該当するとともに、前記像担持体上に前記記録画像が記録光走査によって記録されるもので、該記録の際の副査方向の幅より狭く、かつ連続していることを特徴とする。
請求項８に記載の本発明は、記録媒体に記録画像を形成する画像形成装置において、前記記録画像を形成する画像形成ユニットと、前記画像形成ユニットで前記像担持体の上に記録される潜像の前記記録画像に前記トナーを供給して前記トナー可視画像を形成する請求項１乃至７のいずれか１項に記載の前記現像装置と、を備えることを特徴とする。
請求項９に記載の本発明は、請求項８に記載の画像形成装置において、前記画像形成ユニットは、電子写真方式の作像プロセスで前記記録画像を形成することを特徴とする。
【発明の効果】
【０００８】
本発明によれば、現像に供給されるも現像に寄与せず消費されないトナーの量を減らして、ハウジング内の汚染を防止する。このことにより、高品質の画像を形成することが可能な現像装置及びその現像装置を備える画像形成装置を提供することができる。
【発明を実施するための最良の形態】
【０００９】
以下に、本発明の実施形態を、図面を参照して詳細に説明する。
図１は、本発明の実施の形態例にかかる現像装置１０の基本構成図である。
図２は、本発明の実施の形態例にかかる現像装置１０の供給トナー担持体１の表面に存在する静電潜像パターン２と、像担持体１１０の上に記録される静電潜像の画素７から構成される画像８との関係を示す図である。
静電潜像パターン２は、像担持体１１０の上に記録される静電潜像の画素７から構成される画像８に合致する領域を包含するものである。
具体的には、像担持体１１０の記録光副走査方向Ｆにおける像担持可能領域６（円筒形感光体の場合、円周方向のほぼ全域が像担持可能領域）よりも狭く、像担持体１１０の記録光主走査方向Ｅと同じ方向における像担持可能領域６（円筒形感光体の場合、円筒軸方向の感光体面ほぼ全てが像担持可能領域）よりも内側か、クラウド化したトナーが像担持体１１０までに拡散到達する距離を考慮して、像担持体１１０の記録光主走査方向Ｅと同じ方向における像担持可能領域６の記録光主走査方向Ｅにおける端部の一方あるいは両方を越える連続した特定領域に合致する。
【００１０】
図３は、本発明の実施の形態例にかかる現像装置１０の供給トナー担持体１の表面に存在する静電潜像パターン２と像担持体１１０の上に記録される静電潜像の画素７から構成される画像８との関係を示す図である。
一方の静電潜像パターン２は、像担持体１１０の上に存在する静電潜像の画素７から構成される三つの画像８に合致する三つの領域のうち、記録光副走査方向Ｆにおいて、二つの画像８に合致する領域群を包含し、かつ前記像担持体１１０への記録光副走査方向Ｆにおける像担持可能領域６よりも狭く、像担持体１１０の記録光主走査方向Ｅと同じ方向における像担持可能領域６と同じか、もしくはそれより広い連続した特定領域に合致する。
他方の静電潜像パターン２は、像担持体１１０の上に存在する静電潜像の画素７から構成される三つの画像８に合致する三つの領域のうち残る一つの領域を包含し、かつ前記像担持体１１０への記録光副走査方向Ｆにおける像担持可能領域６よりも狭く、像担持体１１０の記録光主走査方向Ｅと同じ方向における像担持可能領域６と同じか、もしくはそれより広い連続した特定領域に合致する。
【００１１】
図４は、本発明の実施の形態例にかかる現像装置１０の供給トナー担持体１の表面に存在する静電潜像パターン２と像担持体１１０の上に記録される静電潜像の画素７から構成される画像８との関係を示す図である。
静電潜像パターン２は、像担持体１１０の上に記録される静電潜像の画素７から構成される画像８に対応する領域を包含し、かつ像担持体１１０の記録光副走査方向Ｆにおける像担持可能領域６の中に存在し、像担持体１１０の記録光主走査方向Ｅと同じ方向における像担持可能領域６の中に存在し連続した特定領域に合致する。
図５は、本発明の実施の形態例にかかる現像装置１０の供給トナー担持体１の表面に存在する静電潜像パターン２と像担持体１１０の上に記録される静電潜像の画素７から構成される画像８との関係を示す図である。
静電潜像パターン２は、像担持体１１０の上に存在する静電潜像の画素７から構成される三つの画像８に合致する三つの領域を個々に包含する三つの静電潜像パターン２であり、像担持体１１０への記録光副走査方向Ｆにおける像担持可能領域６の中に存在し、像担持体１１０の記録光主走査方向Ｅと同じ方向における像担持可能領域６中に存在し連続した特定領域に合致する。
【００１２】
本発明の現像装置を図１乃至図５により説明する。本発明の現像装置１０は、像担持体１１０の上に記録される静電潜像に供給するトナーＴを表面に担持する供給トナー担持体１を備えている。そして、矢印Ａ方向に回転自在に保持される供給トナー担持体１の表面に、前記像担持体１１０の静電潜像が存在する領域に合致する領域を包含する特定領域と合致させた静電潜像パターン２を形成するため、静電潜像パターン書き込み手段３を備えている。
現像装置１０は、静電潜像パターン書き込み手段３によって供給トナー担持体１の表面に形成した静電潜像パターン２に、トナーＴを供給してトナー層を形成するハウジング９内の現像剤Ｄを担持する現像剤担持手段４を備えている。
現像装置１０が適用される電子写真方式の作像プロセスで記録画像を形成する画像形成装置１００の矢印Ｂ方向に回転する像担持体１１０の感光体ドラムの周りには、像担持体１１０を帯電する帯電装置１１１が配置されている。さらに、帯電装置１１１で帯電された像担持体１１０の像担持可能領域６に、画像情報処理部１０４により制御された記録走査光を露光し、静電潜像である書き込み記録画像部７を形成する書き込み装置１１２が配置されている。
現像装置１０には転写装置１１３が配置されている。その他にも、除電器１１５やクリーニング装置１１６等も配置されている。
【００１３】
供給トナー担持体１のドナーローラの表面は、光導電性の材料から成るすなわち感光体で構成されている。供給トナー担持体１と像担持体１１０との間に、表面に積層して担持するトナーＴをクラウド化して像担持体１１０側に飛翔させる交流電場を形成する電極５で、交流バイアスが印加されるワイヤ電極５０が配置されている。
静電潜像パターン書き込み手段３は、供給トナー担持体１の表面を帯電するための供給トナー担持体帯電手段３０および、帯電した供給トナー担持体１の表面を露光して静電潜像パターン２を形成する供給トナー担持体露光手段３１を備えている。
本発明の現像装置には別途、静電潜像パターン２のパターンを決定するための手段が適用される。特定領域決定手段と呼ばれるもので、前記像担持体１１０に記録される静電潜像領域に合致する領域を包含し、かつ前記像担持体への記録光副走査方向および記録光主走査方向に拡大される特定領域をどのような大きさとするかを決定するための手段であり、該手段により決定された特定領域に合致するように供給トナー担持体１の表面に静電潜像パターン２を形成する。
【００１４】
この特定領域決定手段は以下の処理手順からなるものである。
原稿より得られたデジタル画像情報は、後述される図４に示される画像情報処理部１０４にて画像情報処理されて、像担持体１１０の上の原稿に対応するどの位置にレーザ光を選択的に照射して静電潜像を形成させるかが決定される。この時、画像情報処理部で得られる像担持体１１０の上に形成される静電潜像の位置情報を基に、該位置情報を別途用意された以下の条件と適合させる。
像担持体１１０に形成される静電潜像の副走査方向および主走査方向における
静電潜像の分布（画像領域の数、分布）から、それらの静電潜像に合致する領域を包含し、かつ像担持体１１０の副走査方向における像担持可能領域６よりも狭い特定領域を、像担持体１１０の静電潜像を確実に高品位画像とし、かつ前記静電潜像の現像に寄与しない領域を必要最低限とする条件から決定する。
具体的には、前述された図２ないし図５に説明される静電潜像パターン２を形成するための特定領域が所定の計算式で決定されるか、あるいはいくつかの予め決められた所定パターンの中から選択、決定される。
【００１５】
供給トナー担持体１の上に形成される静電潜像パターン２は、像担持体１１０の上に形成する記録画像と異なり高精細なトナー可視画像を形成する必要が無いために、除電やクリーニング等を必ずしも必要としない。
光書き込み手段３によって形成された供給トナー担持体１の表面に形成された静電潜像パターン２は、２成分現像方式による現像剤担持手段４、すなわちマグネットローラにより穂状に形成された現像剤Ｄを供給トナー担持体１の表面に移動接触して、静電潜像パターン２にトナー層を形成する。そのトナー層が、供給トナー担持体１の矢印Ａ方向の回転により搬送されて電極５であるワイヤ電極５０に接近すると、トナー層からトナーが離脱して像担持体１１０の方向に飛翔する。
交流バイアスを印加したワイヤ電極５０によって発生した振動電場でトナークラウド化後、像担持体１１０の表面に接近し、像担持体１１０の上に記録される静電潜像の電荷量に依存して付着して、トナー可視画像が形成される。
供給トナー担持体１の表面にトナーを担持させるためのトナーＴの供給量は、画像情報処理部１０４により画像処理されて像担持体１１０の記録画像部１１の記録画像のトナー可視画像を形成するために必要な最小限の量であればよい。
【００１６】
前述のようにクラウド化したトナーをもって現像する場合、クラウド化したトナーが像担持体１１０までに拡散到達する距離を考慮して画像８に合致する矩形領域よりも、静電潜像パターン２は主走査方向Ｅにおいて特に大きなものとする。具体的には、像担持体１１０の記録光主走査方向Ｅにおける像担持可能領域６よりも大きく、かつ連続させ、記録光副走査方向Ｆおいては画像８に合致する領域を包含すれば足りるという程度の大きさの二辺の長さが大きく異なる矩形領域を特定領域とした静電潜像パターン２にトナーＴを供給することになる。
例えば、図２に示す供給トナー担持体１の表面に形成される静電潜像パターン２において、対応する像担持体１１０の像担持可能領域６内に矩形で示した画像８が存在する場合、画像８以外の領域に対してはトナーＴを供給する必要はない。
同様に、図３に示す供給トナー担持体１の表面においても、対応する像担持体１１０の像担持可能領域６内に斜線の矩形で示した画像８が存在する場合、非画像部の領域に対してはトナーＴを供給する必要はない。
このことから、像担持体１１０への余剰な供給トナーＴの量がより削減され、トナーＴの飛散や堆積により発生していた画質低下などの諸問題を軽減することが可能となる。特にトナーを拡散飛翔させて現像するトナークラウド化現像の場合、その効果は大きなものとなる。
本発明の現像装置１０は濃度むら等の発生を防止して高品質の画像を形成することができる。
【００１７】
本発明における現像装置における現像工程の一例を図１および図２をもって以下に説明する。
原稿読取部１２１から得られたデジタル画像情報を周知の画像情報処理部１０４によって情報処理を行い、その処理結果をもって像担持体１１０への画像露光、具体的にはレーザ光およびポリゴンミラー等の周知のデジタル露光手段を適用して前記像担持体１１０の表面に原稿画像に対応した静電潜像を形成する。
前記画像情報処理部１０４によってデジタル画像情報が情報処理された時、画像露光する際の露光位置を定める位置情報を取得して、該位置情報を像担持体１１０への光走査主方向ならびに副走査方向において、前記静電潜像を包含する範囲にまで拡大延長した第二の位置情報、すなわち特定領域を特定領域指定手段の一例である前記画像情報処理部１０４により決定する。次いで、該第二の位置情報をもって供給トナー担持体１の表面に前記第二の位置情報に合致する特定領域、例えば図２の２のごとき静電潜像パターン２を供給トナー担持体露光手段３１によって形成する。
供給トナー担持体露光手段３１は、図示しないポリゴンミラーでスキャンされたレーザ光源を用いることも可能ではあるが、高解像度である必要がないため、供給トナー担持体１の主走査方向に同じ方向で配置された点光源が連続する線状光源３２の一括点灯または個別点灯が可能なＬＥＤアレイ３３であっても良い。
供給トナー担持体１の表面に形成された静電潜像パターン２は、次いで、供給トナー担持体１に隣接配置され２成分現像剤を保有する現像剤担持手段４から、磁気ブラシによりトナーが供給トナー担持体１に供給されることで現像され、前記静電潜像パターン２上にはほぼ全面にわたりトナー層が形成される。
【００１８】
供給トナー担持体１の表面の制限された領域に担持されたトナー層のトナーは、供給トナー担持体１と像担持体１１０との間に近接配置され、交流バイアスを印加したワイヤ電極５０によって発生した振動電場でトナークラウド化し、該トナーを像担持体１１０の表面に拡散到達させ、像担持体１１０の上に記録された静電潜像をトナー可視画像とする。
像担持体１１０の静電潜像と、該静電潜像の領域を包含するより広い領域と合致する供給トナー担持体１のトナー層が対面するタイミングは、通常の現像プロセスとは異なり制御されたプロセスでなければならない。
具体的には、原稿画像の読み取りからスタートする画像形成プロセスにおいて、
像担持体１１０の表面の特定の位置に形成された静電潜像である領域に対して、供給トナー担持体１のトナー層の領域が現像のために対面するが、前記静電潜像である領域の移動方向における先頭よりも前記トナー層の移動方向における先頭が先行する形で移動しながら前記静電潜像と前記トナー層との対面移動を実施する。
トナークラウド化にて静電潜像の現像を行う場合、前記静電潜像と前記トナー層との対面開始には、前記トナー層からのトナーの安定したトナークラウド化が行われるまでの時間を考慮してのタイミング調整が必要である。
【００１９】
図６は、本発明の実施の形態例にかかる現像装置１０を備える画像形成装置１００の基本構成図である。
図６において、記録媒体に記録画像を形成する画像形成装置１００は、記録画像を形成する画像形成ユニット１０１を備えている。そして、画像形成ユニット１０１で像担持体１１０の上に記録される静電潜像にトナーＴを供給してトナー可視画像を形成する前述の実施形態にかかる現像装置１０を備えている。
画像形成装置１００は、画像形成ユニット１０１の上部に原稿画像読み取りユニット１０２が載置されている。そして、画像形成ユニット１０１は、記録媒体Ｐの記録用紙を給送する記録媒体給送ユニット１０３の上部に保持されている。
画像形成ユニット１０１は、電子写真方式の作像プロセスで利便性や汎用性に優れ高速で高品質のトナーＴの記録画像を記録媒体Ｐの記録用紙等に転写して形成するようになっている。
原稿画像読み取りユニット１０２において、原稿台１２０に載置される原稿Ｏの原稿画像は、原稿読取部１２１によって光学的に読み取られて原稿画像情報として画像情報処理部１０４で画像処理される。
そして、画像情報処理部１０４で画像処理された原稿画像情報に基づくレーザ光の露光光が、画像形成ユニット１０１の書き込み装置１１２によって、像担持体１１０の感光体ドラム上に書き込まれて静電潜像の記録画像を形成する。
【００２０】
像担持体１１０の感光体ドラムは、矢印Ｂ方向の反時計方向に回転し、この時、帯電装置１１１によって表面を一様に帯電され、その帯電面に書き込み装置１１２により原稿画像が書き込まれる。これによって、像担持体１１０上に静電潜像の記録画像が形成される。
この静電潜像の記録画像は、現像装置１０によって、トナーＴの移動やトナークラウド化のために供給されて現像に消費されないトナーＴの量を減らして、トナー可視画像化される。
一方、記録媒体給送ユニット１０３から記録媒体Ｐが像担持体１１０に向けて給送される。そして、転写装置１１３によって像担持体１１０上のトナーＴの記録画像が記録媒体Ｐに転写される。
転写装置１１３で転写工程後の記録媒体Ｐは、搬送されて定着装置１１４に達する。定着装置１１４に達した記録媒体Ｐに形成された未定着トナーＴの記録画像は加熱と加圧で定着されて排紙トレイ１１７に搬送して排出されて収納される。
他方、転写装置１１３における転写工程後の像担持体１１０上に残留するトナーＴ等は、除電器１１５やクリーニング装置１１６によって除去されて次工程に備えられる。
従って、トナーＴの移動やトナークラウド化のために供給されて現像に消費されないトナーＴの量を減らして、ハウジング９の開口部やワイヤ電極５０等へのトナーＴの堆積やトナー汚染を防止する。そして、濃度むら等の発生を防止して高品質の画像を形成することができる現像装置１０を備える画像形成装置１００を提供することができる。
【図面の簡単な説明】
【００２１】
【図１】本発明の実施の形態例にかかる現像装置の基本構成図である。
【図２】本発明の実施の形態例にかかる現像装置に適用される静電潜像パターンであって、主走査方向に連続する静電潜像パターンの基本構成図である。
【図３】本発明の実施の形態例にかかる現像装置に適用される静電潜像パターンであって、主走査方向に連続しかつ副走査方向に分割された静電潜像パターンの基本構成図である。
【図４】本発明の実施の形態例にかかる現像装置に適用される静電潜像パターンであって、主走査方向に狭い静電潜像パターンの基本構成図である。
【図５】本発明の実施の形態例にかかる現像装置に適用される静電潜像パターンであって、像担持可能領域よりも主走査方向に狭い静電潜像パターンの基本構成図である。
【図６】本発明の実施の形態例にかかる現像装置を備える画像形成装置の基本構成図である。
【図７】従来の現像装置の基本構成図である。
【符号の説明】
【００２２】
１  供給トナー担持体、２  静電潜像パターン、３  静電潜像パターン形成手段、４  現像剤担持手段、５  電極、６  像担持可能領域、７  画素、８  画像、９  ハウジング、１０  現像装置、３０  供給トナー担持体帯電手段、３１  供給トナー担持体露光手段、３２  線状光源、３３  ＬＥＤアレイ、５０  ワイヤ電極、１００  画像形成装置、１０１  画像形成ユニット、１０２  原稿画像読み取りユニット、１０３  記録媒体給送ユニット、１０４  画像情報処理部、１１０  像担持体、１１１  帯電装置、１１２  書き込み装置、１１３  転写装置、１１４  定着装置、１１５  除電器、１１６  クリーニング装置、１１７  排紙トレイ、１２０  原稿台、１２１  原稿読取部、２００  現像装置、２０１  供給トナー担持手段（ドナーローラ）、２０２  現像剤担持手段、２０３  ワイヤ電極、２０４  ハウジング
【図１】
2010038935.tif 000003
【図２】
2010038935.tif 000004
【図３】
2010038935.tif 000005
【図４】
2010038935.tif 000006
【図５】
2010038935.tif 000007
【図６】
2010038935.tif 000008
【図７】
2010038935.tif 000009